(57)【要約】  車両の走行速度が低く走行速度を適切に検知できないときであっても、車両の駆動力を適切に制御できる動力伝達装置を提供する。  動力伝達装置１Ａの制御装置４０は、車速情報から判断すると車速Ｖが０であると判断されるが、車両Ｃの所定の車両情報に基づき車両Ｃが走行していると判断される状態である低速走行状態の場合には、車速情報から車速Ｖが０を超える通常走行状態となるまでの間、アクセル開度APに基づき目標車両駆動力To_cmdを決定し、該決定された目標車両駆動力To_cmdが出力軸３から出力されるように、回転半径調節機構４の偏心量Ｒ１を制御する低速時制御を実行する。
2015098316.tif 000002
【特許請求の範囲】
【請求項１】
車両の走行用駆動源の駆動力が伝達される入力部と、
前記入力部の回転中心軸線と平行に配置された出力軸と、
前記出力軸に軸支される揺動リンクを有し、前記入力部の回転を前記揺動リンクの揺動に変換するてこクランク機構と、
前記揺動リンクが前記出力軸に対して一方側に相対回転しようとするときに前記出力軸に対して前記揺動リンクが空転する空転状態、及び前記揺動リンクが前記出力軸に対して他方側に相対回転しようとするときに前記出力軸に前記揺動リンクが固定される固定状態を切替可能な一方向回転阻止機構と、
前記車両の走行速度の情報である車速情報に基づいて、前記出力軸から出力される目標駆動力を決定する制御部とを備え、
前記てこクランク機構は、調節用駆動源、前記回転中心軸線を中心として回転するときの回転半径を調節自在な回転半径調節機構、及び該回転半径調節機構と前記揺動リンクとを連結するコネクティングロッドを有し、
前記制御部で前記調節用駆動源の駆動力を制御して前記回転半径調節機構の前記回転半径を調節することにより、変速比を変更可能な動力伝達装置であって、
前記制御部は、前記車速情報から判断すると前記車両の走行速度が０であると判断されるが、前記車両の所定の車両情報に基づき前記車両が走行していると判断される状態である低速走行状態の場合には、前記制御部が受信するアクセルペダルの操作量情報に基づき前記目標駆動力を決定し、該決定された目標駆動力が前記出力軸から出力されるように、前記回転半径調節機構の前記回転半径を制御する低速時制御を実行し、
前記制御部は、前記低速時制御を実行中に、前記車速情報から前記車両の走行速度が０を超える通常走行状態となった場合には、前記低速時制御を終了することを特徴とする動力伝達装置。
【請求項２】
請求項１に記載の動力伝達装置において、
前記車速情報を表す信号は、前記車両の走行速度が大きくなるに従って、所定時間内に含まれるパルスが多くなる信号であり、
前記車速情報から判断すると前記車両の走行速度が０であると判断される場合は、前記車速情報を表す信号が、所定時間内に含まれるパルスが所定数未満の信号である場合であることを特徴とする動力伝達装置。
【請求項３】
請求項１に記載の動力伝達装置において、
前記制御部は、前記車両のアクセルペダルの操作量に応じて、前記回転半径の最初の目標値である初期目標回転半径、及び前記回転半径を増加させる割合である回転半径増加率を決定し、前記低速時制御で、まず、前記回転半径が前記初期目標回転半径となるように前記回転半径を増加させ、前記回転半径が前記初期目標回転半径になった後に、前記回転半径増加率に従って、前記回転半径を増加させることを特徴とする動力伝達装置。
【請求項４】
請求項３に記載の動力伝達装置において、
前記制御部は、前記アクセルペダルの操作量が所定量より大きく、前記車両の所定の車両情報に基づき前記車両が上り坂を走行していると判断される場合には、該上り坂の勾配が大きいほど前記回転半径増加率を減少させることを特徴とする動力伝達装置。
【請求項５】
請求項１に記載の動力伝達装置において、
前記車両の所定の車両情報に基づき前記車両が走行していると判断される状態は、前記車両の制動装置が操作されておらず、前記車両のアクセルペダルが操作されている状態であることを特徴とする動力伝達装置。
【発明の詳細な説明】
【技術分野】
【０００１】
本発明は、てこクランク機構を備える動力伝達装置に関する。
【背景技術】
【０００２】
従来、車両に設けられたエンジン等の走行用駆動源からの駆動力が伝達される入力部と、入力部の回転中心軸線と平行に配置された出力軸と、複数のてこクランク機構と、走行用駆動源及びてこクランク機構の作動を制御する制御部とを備える四節リンク機構型の無段変速機を備える動力伝達装置が知られている（例えば、特許文献１参照）。【０００３】
特許文献１のてこクランク機構は、入力部に設けられた回転半径調節機構と、出力軸に揺動自在に軸支される揺動リンクと、一方の端部に回転半径調節機構に回転自在に外嵌される入力側環状部を有し、他方の端部が揺動リンクの揺動端部に連結されるコネクティングロッドとで構成される。【０００４】
揺動リンクと出力軸との間には、出力軸に対して一方側に相対回転しようとするときに出力軸に対して揺動リンクが空転する空転状態と、出力軸に対して他方側に相対回転しようとするときに出力軸に揺動リンクが固定される固定状態とに切替可能な一方向回転阻止機構としての一方向クラッチが設けられている。【０００５】
このような動力伝達装置においては、車両の走行速度に応じて車両の駆動力を制御している。このときに用いる車両の走行速度を表す信号としては、例えば、特許文献２に記載されたように、回転速度センサの出力に基づいて、車両の走行速度を表すパルス信号（所謂車速信号）を用いることが考えられる。
【先行技術文献】
【特許文献】
【０００６】
【特許文献１】特開２０１３−４７４９２号公報
【特許文献２】特開２００９−９２２１１号公報
【発明の概要】
【発明が解決しようとする課題】
【０００７】
しかしながら、特許文献２においては、回転速度センサの誤検知等を防止するために、所定時間内に所定数未満のパルスしか含まれていないとき（例えば、車両が非常に低速で走行しているとき）には、車両が停止していると判定される。【０００８】
特許文献１に記載された動力伝達装置において、特許文献２の技術を用いると、所定時間内に所定数未満のパルスしか含まれていないときには、非常に低速ながら車両が走行しているにも拘らず、車両が停止している（すなわち、走行速度が０である）と判定されてしまう。【０００９】
このように、車両の走行速度が低く走行速度を適切に検知できないときには、実際の車両の走行速度と検知した走行速度とが異なることになるので、車両の駆動力を車両の走行速度に応じた適切な駆動力に制御することができないおそれがあった。【００１０】
本発明は、以上の点に鑑みてなされたものであり、車両の走行速度が低く走行速度を適切に検知できないときであっても、車両の駆動力を適切に制御できる動力伝達装置を提供することを目的とする。
【課題を解決するための手段】
【００１１】
本発明は、車両の走行用駆動源の駆動力が伝達される入力部と、前記入力部の回転中心軸線と平行に配置された出力軸と、前記出力軸に軸支される揺動リンクを有し、前記入力部の回転を前記揺動リンクの揺動に変換するてこクランク機構と、前記揺動リンクが前記出力軸に対して一方側に相対回転しようとするときに前記出力軸に対して前記揺動リンクが空転する空転状態、及び前記揺動リンクが前記出力軸に対して他方側に相対回転しようとするときに前記出力軸に前記揺動リンクが固定される固定状態を切替可能な一方向回転阻止機構と、前記車両の走行速度の情報である車速情報に基づいて、前記出力軸から出力される目標駆動力を決定する制御部とを備え、前記てこクランク機構は、調節用駆動源、前記回転中心軸線を中心として回転するときの回転半径を調節自在な回転半径調節機構、及び該回転半径調節機構と前記揺動リンクとを連結するコネクティングロッドを有し、前記制御部で前記調節用駆動源の駆動力を制御して前記回転半径調節機構の前記回転半径を調節することにより、変速比を変更可能な動力伝達装置であって、前記制御部は、前記車速情報から判断すると前記車両の走行速度が０であると判断されるが、前記車両の所定の車両情報に基づき前記車両が走行していると判断される状態である低速走行状態の場合には、前記制御部が受信するアクセルペダルの操作量情報に基づき前記目標駆動力を決定し、該決定された目標駆動力が前記出力軸から出力されるように、前記回転半径調節機構の前記回転半径を制御する低速時制御を実行し、前記制御部は、前記低速時制御を実行中に、前記車速情報から前記車両の走行速度が０を超える通常走行状態となった場合には、前記低速時制御を終了することを特徴とする。【００１２】
本願発明者は、上述した動力伝達装置の構成において、車両の走行速度が所定の速度より低い場合には、走行用駆動源の出力回転速度を変化させたとしても動力伝達装置から出力される駆動力が殆ど変化せず、回転半径を変化させることで、動力伝達装置から出力される駆動力が変化するという点を見出した。【００１３】
そこで、本発明においては、低速走行状態の場合には、制御部は、出力軸から出力される駆動力が目標駆動力になるように、回転半径調節機構の回転半径を制御する低速時制御を実行する。これにより、車両の走行速度が低く走行速度を適切に検知できないときであっても、車両の駆動力を適切に制御できる。【００１４】
本発明において、前記車速情報を表す信号は、前記車両の走行速度が大きくなるに従って、所定時間内に含まれるパルスが多くなる信号であり、前記車速情報から判断すると前記車両の走行速度が０であると判断される場合は、前記車速情報を表す信号が、所定時間内に含まれるパルスが所定数未満の信号である場合であると設定することができる。【００１５】
本発明において、前記制御部は、前記車両のアクセルペダルの操作量に応じて、前記回転半径の最初の目標値である初期目標回転半径、及び前記回転半径を増加させる割合である回転半径増加率を決定し、前記低速時制御で、まず、前記回転半径が前記初期目標回転半径となるように前記回転半径を増加させ、前記回転半径が前記初期目標回転半径になった後に、前記回転半径増加率に従って、前記回転半径を増加させることができる。【００１６】
この構成によれば、アクセルペダルの操作量に応じて駆動力を動力伝達装置から出力するために、車両の正確な走行速度を検出できない低速走行状態の場合であっても、運転者に与える違和感を低減させることができる。【００１７】
本発明において、前記制御部は、前記アクセルペダルの操作量が所定量より大きく、前記車両の所定の車両情報に基づき前記車両が上り坂を走行していると判断される場合には、該上り坂の勾配が大きいほど前記回転半径増加率を減少させることができる。【００１８】
車両が上り坂を走行しているときにおいては、平坦路を走行しているときに比べて大きな駆動力を動力伝達装置から出力する必要がある。更に、車両が走行する上り坂の勾配が大きくなるほど、大きな駆動力を動力伝達装置から出力する必要がある。そして、動力伝達装置から大きな駆動力が出力されるためには、走行用駆動源からも大きな駆動力が出力される必要がある。【００１９】
しかしながら、車両が上り坂を走行する場合等の、出力軸の回転が停止した状態又は出力軸の回転速度が低い状態であるときに、走行用駆動源から大きな駆動力が出力されると、揺動リンクが大きな駆動力で揺動しているにも拘らず、出力軸が充分に回転せず、一方向回転阻止機構に大きな負荷が作用する可能性がある。【００２０】
このとき、回転半径が小さいほど、揺動リンクの回転速度が小さくなり、揺動リンクと出力軸との間の相対的な回転速度差が低減する。これにより、一方向回転阻止機構に作用する負荷を軽減できる。【００２１】
そこで、上記構成によれば、制御部は、アクセルペダルの操作量が所定量より大きく、車両が上り坂を走行している場合のように、一方向回転阻止機構に大きな負荷が作用し過ぎる可能性があるとき、すなわち、上り坂の勾配が大きいときほど、回転半径増加率を減少させる。これにより、車両が上り坂を走行する場合に、一方向回転阻止機構に作用する負荷を軽減できる。【００２２】
本発明において、前記車両の所定の車両情報に基づき前記車両が走行していると判断される状態は、前記車両の制動装置が操作されておらず、前記車両のアクセルペダルが操作されている状態であるとすることができる。
【図面の簡単な説明】
【００２３】
【図１】本発明の動力伝達装置の実施形態を一部断面で示す説明図。
【図２】本実施形態の動力伝達装置のてこクランク機構を示す説明図。
【図３】本実施形態の動力伝達装置の回転半径調節機構の回転半径の変化を説明する図。図３Ａは回転半径が最大、図３Ｂは回転半径が中、図３Ｃは回転半径が小、図３Ｄは回転半径が０の状態を夫々示す。
【図４】本実施形態の動力伝達装置の回転半径調節機構の回転半径の変化と、揺動リンクの揺動運動の揺動角θ２の関係を示す図であり、図４Ａは回転半径が最大、図４Ｂは回転半径が中、図４Ｃは回転半径が小であるときの揺動リンクの揺動運動の揺動角を夫々示す。
【図５】本実施形態の動力伝達装置の回転半径調節機構の回転半径の変化に対する、揺動リンクの角速度ωの変化を示すグラフ。
【図６】本実施形態の動力伝達において、夫々６０度ずつ位相を異ならせた６つのてこクランク機構により出力軸が回転される状態を示すグラフ。
【図７】本実施形態の動力伝達装置の制御部の構成を示す機能ブロック図。
【図８】本実施形態の動力伝達装置における車速と偏心量とに応じた等駆動力線を示す図。
【図９】図９Ａは、本実施形態の動力伝達装置における車速が最低速V1のときのエンジン回転速度と偏心量と車両駆動力との関係を示す図。図９Ｂは、車速が最低速V1のときのエンジン回転速度と偏心量と必要入力トルクとの関係を示す図。図９Ｃは、車速が低速V2のときのエンジン回転速度と偏心量と車両駆動力との関係を示す図。図９Ｄは、車速が低速V2のときのエンジン回転速度と偏心量と必要入力トルクとの関係を示す図。図９Ｅは、車速が中速V3のときのエンジン回転速度と偏心量と車両駆動力との関係を示す図。図９Ｆは、車速が中速V3のときのエンジン回転速度と偏心量と必要入力トルクとの関係を示す図。図９Ｇは、車速が高速V4のときのエンジン回転速度と偏心量と車両駆動力との関係を示す図。図９Ｈは、車速が高速V4のときのエンジン回転速度と偏心量と必要入力トルクとの関係を示す図。
【図１０】図１０Ａは、本実施形態の動力伝達装置における車速とエンジン回転速度とアクセル開度との関係を示す図。図１０Ｂは、車速と偏心量とアクセル開度との関係を示す図。
【図１１】本実施形態の動力伝達装置のアクセル開度に応じた偏心量の時間変化を示す図。
【図１２】本実施形態の動力伝達装置の勾配とアクセル開度と偏心量増加率との関係を示す図。
【図１３】本実施形態の動力伝達装置の制御装置の処理を示すフローチャート。
【図１４】本実施形態の動力伝達装置の各種情報の時間変化を示すタイミングチャート。
【発明を実施するための形態】
【００２４】
（１．動力伝達装置の構成）
以下、本発明の動力伝達装置の実施形態を説明する。本実施形態の動力伝達装置１Ａ（図７参照）は、変速比ｉ（ｉ＝入力軸の回転速度／出力軸の回転速度）を無限大（∞）にして出力軸の回転速度を「０」にできる無段変速機、所謂ＩＶＴ（Infinity Variable Transmission）を備える。
【００２５】
図１を参照して、無段変速機１は、車両Ｃ（図７参照）に搭載されており、内燃機関などのエンジンや電動機等の走行用駆動源５０からの駆動力が伝達されることで回転中心軸線Ｐ１を中心に回転する入力軸端部２ａと、回転中心軸線Ｐ１に平行に配置され、図示省略したデファレンシャルギヤを介して車両の駆動輪（図示省略）に回転動力を伝達させる出力軸３と、回転中心軸線Ｐ１上に設けられた６つの回転半径調節機構４とを備える。なお、デファレンシャルギヤの代わりにプロペラシャフトを設けてもよい。
【００２６】
図１及び図２を参照して、各回転半径調節機構４は、カム部としてのカムディスク５と、回転部としての回転ディスク６とを備える。カムディスク５は、円盤状であり、回転中心軸線Ｐ１から偏心されると共に、１つの回転半径調節機構４に対して２個１組となるように、各回転半径調節機構４に設けられている。また、カムディスク５には、回転中心軸線Ｐ１の方向に貫通する貫通孔５ａが設けられている。また、カムディスク５には、回転中心軸線Ｐ１に対して偏心する方向とは逆の方向に開口し、カムディスク５の外周面と貫通孔５ａを構成する内周面とを連通させる切欠孔５ｂが設けられている。
【００２７】
各１組のカムディスク５は、夫々位相を６０度異ならせて、６組のカムディスク５で回転中心軸線Ｐ１の周方向を一回りするように配置されている。
【００２８】
カムディスク５は、隣接する回転半径調節機構４のカムディスク５と一体的に形成されて一体型カム部５ｃが構成されている。この一体型カム部５ｃは、一体成型で形成してもよく、または、２つのカム部を溶接して一体化してもよい。各回転半径調節機構４の２個１組のカムディスク５同士はボルト（図示省略）で固定されている。回転中心軸線Ｐ１上の最も走行用駆動源５０側に位置するカムディスク５は入力軸端部２ａと一体的に形成されている。このようにして、入力軸端部２ａと複数のカムディスク５とで、カムディスク５を備える入力軸２（本発明の「入力部」に相当する）が構成されることとなる。
【００２９】
入力軸２は、カムディスク５の貫通孔５ａが連なることによって構成される挿通孔６０を備える。これにより、入力軸２は、走行用駆動源５０とは反対側の一方端が開口し他方端が閉塞した中空軸形状に構成される。走行用駆動源５０側の他方端に位置するカムディスク５は、入力軸端部２ａと一体的に形成されている。このカムディスク５と入力軸端部２ａとを一体的に形成する方法としては、一体成型を用いてもよく、また、カムディスク５と入力軸端部２ａとを溶接して一体化してもよい。
【００３０】
また、各１組のカムディスク５には、カムディスク５を受け入れる受入孔６ａを備える円盤状の回転ディスク６が偏心された状態で回転自在に外嵌されている。
【００３１】
図２に示すように、回転ディスク６は、カムディスク５の中心点をＰ２、回転ディスク６の中心点をＰ３として、回転中心軸線Ｐ１と中心点Ｐ２の距離Ｒａと、中心点Ｐ２と中心点Ｐ３の距離Ｒｂとが同一となるように、カムディスク５に対して偏心している。
【００３２】
回転ディスク６の受入孔６ａには、１組のカムディスク５の間に位置させて内歯６ｂが設けられている。
【００３３】
カムシャフト５１の挿通孔６０には、回転中心軸線Ｐ１と同心に、且つ、回転ディスク６の内歯６ｂと対応する個所に位置させて、ピニオン７０がカムディスク５を有する入力軸２と相対回転自在となるように配置されている。ピニオン７０は、ピニオンシャフト７２と一体に形成されている。なお、ピニオン７０は、ピニオンシャフト７２と別体に構成して、ピニオン７０をピニオンシャフト７２にスプライン結合で連結させてもよい。本実施形態においては、単にピニオン７０というときは、ピニオンシャフト７２を含むものとして定義する。
【００３４】
ピニオン７０は、カムディスク５の切欠孔５ｂを介して、回転ディスク６の内歯６ｂと噛合する。ピニオンシャフト７２には、隣接するピニオン７０の間に位置させてピニオン軸受７４が設けられている。このピニオン軸受７４を介して、ピニオンシャフト７２は、入力軸２を支えている。ピニオンシャフト７２には、遊星歯車機構などで構成される差動機構８が接続されている。ピニオン７０には、差動機構８を介して調節用駆動源１４の駆動力が伝達される。
【００３５】
回転ディスク６は、カムディスク５に対して距離Ｒａと距離Ｒｂとが同一となるように偏心されているため、回転ディスク６の中心点Ｐ３を回転中心軸線Ｐ１と同一軸線上に位置するようにして、回転中心軸線Ｐ１と中心点Ｐ３との距離、即ち偏心量Ｒ１を「０」とすることもできる。
【００３６】
回転ディスク６の周縁には、一方（入力軸２側）の端部に大径の入力側環状部１５ａを備え、他方（出力軸３側）の端部に入力側環状部１５ａの径よりも小径の出力側環状部１５ｂを備えるコネクティングロッド１５の入力側環状部１５ａが、軸方向に２個並べて２個一組のボールベアリングからなるコンロッド軸受１６を介して回転自在に外嵌されている。出力軸３には、一方向クラッチ１７を介して、揺動リンク１８がコネクティングロッド１５に対応させて６個設けられている。本実施形態においては、揺動リンク１８が一方向クラッチ１７の外輪としての機能を兼ね備えている。
【００３７】
一方向クラッチ１７は、揺動リンク１８と出力軸３との間に設けられ、揺動リンク１８が出力軸３に対して一方側に相対的に回転しようとするときに揺動リンク１８を出力軸３に固定し（固定状態）、他方側に相対的に回転しようとするときに出力軸３に対して揺動リンク１８を空転させる（空転状態）。
【００３８】
揺動リンク１８は、環状に形成されており、その下方には、コネクティングロッド１５の出力側環状部１５ｂに連結される揺動端部１８ａが設けられている。揺動端部１８ａには、出力側環状部１５ｂを軸方向で挟み込むように突出した一対の突片１８ｂが設けられている。一対の突片１８ｂには、出力側環状部１５ｂの内径に対応する差込孔１８ｃが穿設されている。差込孔１８ｃ及び出力側環状部１５ｂには、揺動軸としての連結ピン１９が挿入されている。これにより、コネクティングロッド１５と揺動リンク１８とが連結される。
【００３９】
なお、本実施形態の説明において、変速比は、入力軸の回転速度／出力軸の回転速度と定義する。
【００４０】
図３は、回転半径調節機構４の偏心量Ｒ１（回転半径）を変化させた状態のピニオンシャフト７２と回転ディスク６との位置関係を示す。図３Ａは偏心量Ｒ１を「最大」とした状態を示しており、回転中心軸線Ｐ１と、カムディスク５の中心点Ｐ２と、回転ディスク６の中心点Ｐ３とが一直線に並ぶように、ピニオンシャフト７２と回転ディスク６とが位置する。このときの変速比ｉは最小となる。
【００４１】
図３Ｂは偏心量Ｒ１を図３Ａよりも小さい「中」とした状態を示しており、図３Ｃは偏心量Ｒ１を図３Ｂよりも更に小さい「小」とした状態を示している。変速比ｉは、図３Ｂでは図３Ａの変速比ｉよりも大きい「中」となり、図３Ｃでは図３Ｂの変速比ｉよりも大きい「大」となる。図３Ｄは偏心量Ｒ１を「０」とした状態を示しており、回転中心軸線Ｐ１と、回転ディスク６の中心点Ｐ３とが同心に位置する。このときの変速比ｉは無限大（∞）となる。本実施形態の動力伝達装置１Ａは、回転半径調節機構４で偏心量Ｒ１を変えることにより、回転半径調節機構４の回転半径を調節自在としている。
【００４２】
図４は、回転半径調節機構４の偏心量Ｒ１を変化させた場合の揺動リンク１８の揺動範囲の変化を示している。図４Ａは、偏心量Ｒ１が最大のときの揺動リンク１８の揺動範囲を示し、図４Ｂは、偏心量Ｒ１が中のときの揺動リンク１８の揺動範囲を示し、図４Ｃは、偏心量Ｒ１が小のときの揺動リンク１８の揺動範囲を示している。図４から偏心量Ｒ１が小さくなるにつれて揺動範囲が狭くなることが分かる。そして、偏心量Ｒ１が「０」になると、揺動リンク１８は揺動しなくなる。
【００４３】
本実施形態においては、回転半径調節機構４と、コネクティングロッド１５と、揺動リンク１８とで、てこクランク機構２０（四節リンク機構）が構成される。そして、てこクランク機構２０によって、入力軸２の回転運動が揺動リンク１８の揺動運動に変換される。本実施形態の動力伝達装置１Ａは合計６個のてこクランク機構２０を備えている。偏心量Ｒ１が「０」でないときに、入力軸２を回転させると共に、ピニオンシャフト７２を入力軸２と同一速度で回転させると、各コネクティングロッド１５が６０度ずつ位相を変えながら、偏心量Ｒ１に基づき入力軸２と出力軸３との間で揺動端部１８ａを出力軸３側に押したり、入力軸２側に引いたりを交互に繰り返して、揺動リンク１８が揺動する。
【００４４】
コネクティングロッド１５の出力側環状部１５ｂは、出力軸３に一方向クラッチ１７を介して設けられた揺動リンク１８に連結されているため、揺動リンク１８がコネクティングロッド１５によって押し引きされて揺動すると、揺動リンク１８が押し方向側又は引張り方向側の何れか一方に揺動リンク１８が回転するときだけ、出力軸３が回転し、揺動リンク１８が他方に回転するときには、出力軸３に揺動リンク１８の揺動運動の力が伝達されず、揺動リンク１８が空回りする。各回転半径調節機構４は、６０度毎に位相を変えて配置されているため、出力軸３は各回転半径調節機構４で順に回転させられる。
【００４５】
図５は、無段変速機１の回転半径調節機構４の回転角度θを横軸、角速度ωを縦軸として、回転半径調節機構４の偏心量Ｒ１の変化に伴う揺動リンク１８の角速度ω_iの変化の関係を示す。図５から明らかなように、偏心量Ｒ１が大きい（変速比ｉが小さい）ほど揺動リンク１８の角速度ω_iが大きくなることが分かる。
【００４６】
図６は、６０度ずつ位相を異ならせた６つの回転半径調節機構４を回転させたとき（入力軸２とピニオンシャフト７とを同一速度で回転させたとき）における、回転半径調節機構４の回転角度θ１に対する、各揺動リンク１８の角速度ω_iを示している。図６から、６つのてこクランク機構２０により出力軸３がスムーズに回転されることが分かる。
【００４７】
また、図７に示されるように、無段変速機１は、制御装置４０（本発明の「制御部」に相当する）を備える。制御装置４０は、ＣＰＵ及びメモリ等により構成された電子ユニットである。
【００４８】
制御装置４０は、メモリに保持された走行用駆動源５０及び無段変速機１の制御用プログラムをＣＰＵで実行することによって、走行用駆動源５０及び調節用駆動源１４の作動を制御する。また、制御装置４０は、調節用駆動源１４の作動を制御することで、回転半径調節機構４の偏心量Ｒ１を制御する機能を実現している。
【００４９】
また、無段変速機１が搭載された車両Ｃは、車両Ｃを制動させる制動装置６１と、無段変速機１から出力される駆動力（以下、「車両駆動力」という）を車両Ｃの運転者が調節するためのアクセルペダル６２と、車両Ｃの走行速度（以下、「車速」という）Ｖに応じた信号である車速信号を生成する車速信号生成部４１と、車両Ｃが走行している路面の水平面に対する傾きの度合（勾配）を検知する勾配検知部４２とを備える。
【００５０】
制御装置４０には、制動装置６１の作動状態を表す信号、アクセルペダル６２の作動状態を表す信号、車速信号生成部４１が生成した車速信号、及び勾配検知部４２が検知した勾配を表す信号が入力される。
【００５１】
制御装置４０は、制動装置６１の作動状態を表す信号に基づいて制動装置６１が作動しているか否かを検知する。制御装置４０は、アクセルペダル６２の作動状態を表す信号に基づいてアクセル開度APを検知する。制御装置４０は、勾配検知部４２の出力信号に基づいて、車両Ｃが走行している路面の水平面に対する傾きの度合（勾配）を検知する。
【００５２】
車速信号生成部４１は、車両Ｃの従動輪の回転軸（図示省略）等に設けられた回転速度センサ（図示省略）の出力等に基づいて、車速Ｖが大きくなるに従って、所定時間ΔT（図１４の車速信号の箇所参照）内に含まれるパルスが多くなるような信号として生成する。そして、制御装置４０は、所定時間ΔT内に含まれるパルスの個数に応じて車速Ｖを検知する。また、制御装置４０は、入力された車速信号に、所定時間ΔT内に含まれるパルスが所定数未満の場合においては、測定精度が充分でないこと又は測定誤差の可能性が有ることを考慮して、「車速Ｖが０である」と判断する。
【００５３】
（２．動力伝達装置の制御の概要）
（２−１．車速、偏心量、及び車両駆動力の関係）
次に、図８を参照して、車速Ｖ（横軸）と偏心量Ｒ１（縦軸）に応じて決定される等駆動力線について説明する。ここで、等駆動力線とは、走行用駆動源５０の出力駆動力を一定とした場合における、所定の車速Ｖと所定の偏心量Ｒ１との組み合わせによって規定される車両駆動力Toが、同一となる点（図８における横方向と縦方向との交点）を結んで得られる線である。図８には、車両駆動力Toがτ１，τ２，τ３の各々のときに対する各等駆動力線Ｌτ１，Ｌτ２，Ｌτ３が例示されている。ここで、これらの車両駆動力Toの大きさの関係は、「τ１＜τ２＜τ３」である。図８に例示されるように、車両駆動力Toが大きくなるほど、等駆動力線が図８の左上側に位置することになる。
【００５４】
ここで、各等駆動力線Ｌτ１，Ｌτ２，Ｌτ３において、例えば、車速Ｖが所定車速Vαより低い場合には、車速Ｖが変化しても偏心量Ｒ１は殆ど変化しない。一方、車速Ｖが一定の場合においては、偏心量Ｒ１の変化に伴って、車両駆動力Toが変化する。
【００５５】
（２−２．エンジン回転速度、偏心量、車両駆動力、及び必要入力トルクの関係）
図９Ａ，図９Ｃ，図９Ｅ，図９Ｇは、走行用駆動源５０の出力回転速度（以下、「エンジン回転速度」という）Ｎｅ（横軸）と、車両駆動力To（縦軸）と、偏心量Ｒ１との関係
を表す関係図である。図９Ａ，図９Ｃ，図９Ｅ，図９Ｇは、図８に示された特性を、横軸及び縦軸を変更して各車速毎に表した図である。
【００５６】
また、図９Ｂ，図９Ｄ，図９Ｆ，図９Ｈが、エンジン回転速度Ｎｅ（横軸）と、必要入力トルクTi（縦軸）と、偏心量Ｒ１との関係を表す関係図である。
【００５７】
ここで、必要入力トルクTiとは、車両駆動力Toが、その目標値（以下、「目標車両駆動力」という。本発明の「目標駆動力」に相当する）To_cmdとなるために、入力軸２に入力されるべき最低限の駆動力である。必要入力トルクTiが小さいと、走行用駆動源５０の出力駆動力を低くできるので、走行用駆動源５０の燃料消費量を低減できる。
【００５８】
また、図９Ａ及び図９Ｂは車速Ｖが最低速V1のときの各関係図であり、図９Ｃ及び図９Ｄは車速Ｖが低速V2のときの各関係図であり、図９Ｅ及び図９Ｆは車速Ｖが中速V3のときの各関係図であり、図９Ｇ及び図９Ｈは車速Ｖが高速V4のときの各関係図である。ここで、「V1＜V2＜Vα＜V3＜V4」である。
【００５９】
また、図９Ａ〜図９Ｈには、偏心量Ｒ１として、r1〜r7までの７つの偏心量を例示している。ここで、偏心量の大きさとしては、r1〜r7をrx(x=1〜7)と表したときにおいて、「x」に入る数字が大きい方ほど偏心量が大きいことを示す（例えば、「r3＜r4」である）。また、図示の関係上、これらの７つの偏心量のうち、図９Ａ〜図９Ｄにおいてはr1〜r4までの４つのみを図示しており、図９Ｅ，図９Ｆにおいてはr2〜r5までの４つのみを図示しており、図９Ｇ，図９Ｈにおいてはr3〜r7までの５つのみを図示している。
【００６０】
車速Ｖが所定車速Vαよりも低いV1,V2のとき（図９Ａ，図９Ｃ参照）においては、車速Ｖが所定車速Vαよりも高いV3,V4のとき（図９Ｅ，図９Ｇ参照）に比べて、エンジン回転速度Ｎｅが変化したときの車両駆動力Toの増加が小さい。特に、車速がV1のときにおいては、エンジン回転速度Ｎｅが変化した場合であっても車両駆動力Toが殆ど変化しない。一方、車速Ｖが所定車速Vαよりも低い（V1,V2）か高い（V3,V4）かに拘らず、偏心量Ｒ１が変化したときには、車両駆動力Toが大きく変化する。
【００６１】
このように、車両駆動力Toが目標車両駆動力To_cmdとなるように制御する場合において、所定車速Vαよりも低いとき（V1, V2）には、エンジン回転速度Ｎｅを変化させるのではなく偏心量Ｒ１を変化させることで、目標車両駆動力To_cmdとなるように車両駆動力Toを調節することができる。一方、車両駆動力Toが目標車両駆動力To_cmdとなるように制御する場合において、所定車速Vαよりも高いとき（V3, V4）には、エンジン回転速度Ｎｅ及び偏心量Ｒ１の少なくともいずれかを変化させることで、目標車両駆動力To_cmdとなるように車両駆動力Toを調節することができる。
【００６２】
また、車速Ｖが所定車速Vαよりも低いV1,V2のとき（図９Ｂ，図９Ｄ参照）においては、車速Ｖが所定車速Vαよりも高いV3,V4のとき（図９Ｆ，図９Ｈ参照）に比べて、偏心量Ｒ１を変化させたときの必要入力トルクTiの増加量が小さい。従って、車両駆動力Toを目標車両駆動力To_cmdにするために偏心量Ｒ１を変化させる場合において、車速Ｖが所定車速Vαよりも低いとき（V1,V2）には、車速Ｖが所定車速Vαよりも高いとき（V3,V4）に比べて、走行用駆動源５０の出力駆動力を低くでき、ひいては、走行用駆動源５０の燃料消費量を低減できる。
【００６３】
（２−３．低速時制御）
以上の特性より、車両駆動力Toを目標車両駆動力To_cmdにするときにおいて、車速Ｖが所定車速Vα以上の場合には、車速Ｖ及びアクセル開度APに応じてエンジン回転速度Ｎｅ及び偏心量Ｒ１を制御し、車速Ｖが所定車速Vαよりも小さい場合には、エンジン回転速度Ｎｅを所定の低速時回転速度Ne0（例えば、アイドリング回転速度）に固定して、偏心量Ｒ１を目標車両駆動力To_cmdに応じて制御することが考えられる。
【００６４】
ここで、制御装置４０は、前述したように、入力された車速信号に、所定時間内に含まれるパルスが所定数未満の場合においては、測定精度が充分でないこと又は測定誤差の可能性が有ることを考慮して、「車速Ｖが０である」と判断する。
【００６５】
本実施形態では、所定車速Vαよりも多少高い車速（以下、「閾値車速」という）Vthにおいて、所定時間内に含まれるパルスが所定数となっている。すなわち、車速Ｖが閾値車速Vth未満の場合には、制御装置４０は、車速Ｖが０であると検知している。
【００６６】
以下、実際の車速Ｖを実車速V_actといい、制御装置４０が検知している車速Ｖを検知車速V_detということがある（実車速V_actが０よりも大きく閾値車速Vth未満の場合には、検知車速V_detが０である）。
【００６７】
そこで、制御装置４０は、検知車速V_detが０であるが（すなわち、車速Ｖが０であると判断されるが）、車両Ｃの所定の車両情報に基づき車両Ｃが走行していると判断される状態である低速走行状態の場合には、制御装置４０が受信するアクセルペダル６２の操作量の情報（すなわち、アクセル開度AP）に基づき目標車両駆動力To_cmdを決定する。ここで、「車両Ｃの所定の車両情報」とは、例えば、「制動装置６１の作動情報」及び「アクセル開度AP」等である。本実施形態では、「制動装置６１が作動しておらず」且つ「アクセル開度APが０よりも大きい」状態が、「車両Ｃが走行していると判断される状態」と規定されている。制御装置４０は、これらの車両情報を用いて、車両Ｃが走行しているか否かを適切に判定することができる。
【００６８】
そして、制御装置４０は、低速走行状態の場合には、決定された目標車両駆動力To_cmdが出力軸３から出力されるように、偏心量Ｒ１を制御する低速時制御を実行する。
【００６９】
これにより、車速Ｖが低く車速Ｖを適切に検知できないときであっても、車両Ｃの駆動力を適切に制御できる。
【００７０】
より詳細には、制御装置４０は、低速時制御を実行するときに、まず、アクセル開度APに応じて偏心量Ｒ１の初期の目標値（以下、「初期目標偏心量」という）R1_0_cmdを決定する。このとき、制御装置４０は、アクセル開度APが大きいほど偏心量Ｒ１が大きくなるように決定する。アクセル開度APと偏心量Ｒ１との関係は、予め実験等によって得られたテーブル又はマップ等によって規定される。
【００７１】
そして、制御装置４０は、偏心量Ｒ１が初期目標偏心量R1_0_cmdとなるように、回転半径調節機構４を制御する。制御装置４０は、偏心量Ｒ１が初期目標偏心量R1_0_cmdとなった後は、アクセル開度APに応じて決定される偏心量増加率R1_rate（単位時間あたりの偏心量の増加量）に従って偏心量Ｒ１を増加させて、車両駆動力Toを増加させる。
【００７２】
このとき、制御装置４０は、アクセル開度APが大きいほど偏心量増加率R1_rateが大きくなるように決定する。アクセル開度APと偏心量増加率R1_rateとの関係は、予め実験等によって得られたテーブル又はマップ等によって規定される。
【００７３】
以上のように、制御装置４０は、車両駆動力Toを目標車両駆動力To_cmdにするときにおいて、車速Ｖが閾値車速Vth以上の場合には、車速Ｖ及びアクセル開度APに応じてエンジン回転速度Ｎｅ（図１０ＡのVth以上の場合を参照）及び偏心量Ｒ１（図１０ＢのVth以上の場合を参照）を制御し、車速Ｖが閾値車速Vthよりも小さい場合には、エンジン回転速度Ｎｅを所定の低速時回転速度Ne0（例えば、アイドリング回転速度）に固定して（図１０ＡのVth未満の場合を参照）、偏心量Ｒ１を目標車両駆動力To_cmdに応じて制御する（図１０ＢのVth未満の場合を参照）。
【００７４】
ここで、図１１は、偏心量Ｒ１（縦軸）の時間（横軸）変化を示す図である。図１１では、アクセル開度APとしてAP1〜AP3の３つを例示している。これらのアクセル開度APの大きさの関係は、「AP1＜AP2＜AP3」である。
【００７５】
制御装置４０は、アクセル開度APがAP1のときには、偏心量Ｒ１をR1_0_cmd_1（初期目標偏心量R1_0_cmd）にして（時点t0）、その後、AP1に応じた偏心量増加率R1_rateで偏心量Ｒ１を増加させる。また、制御装置４０は、アクセル開度APがAP2のときには、偏心量Ｒ１をR1_0_cmd_2（初期目標偏心量R1_0_cmd）にして（時点t0）、その後、AP2に応じた偏心量増加率R1_rateで偏心量Ｒ１を増加させる。また、制御装置４０は、アクセル開度APがAP3のときには、偏心量Ｒ１をR1_0_cmd_3（初期目標偏心量R1_0_cmd）にして（時点t0）、その後、AP3に応じた偏心量増加率R1_rateで偏心量Ｒ１を増加させる。ここで、これらの偏心量増加率R1_rateの大きさの関係は、「r1_0_cmd_1＜r1_0_cmd_2＜r1_0_cmd_3」である。
【００７６】
（２−３−１．勾配に応じた偏心量増加率の設定）
但し、車両Ｃが上り坂を走行しているときにおいては、平坦路を走行しているときに比べて大きな車両駆動力Toが必要となる。更に、車両Ｃが走行する上り坂の勾配が大きいときには、大きな車両駆動力Toが必要となる。
【００７７】
大きな車両駆動力Toが出力されるためには、走行用駆動源５０からも大きな駆動力が出力される必要がある。しかしながら、出力軸３の回転が停止した状態か又は出力軸３の回転速度が非常に低い状態であるときに（例えば、車両Ｃが上り坂で、発進するとき又は発進直後等の低い車速Ｖ（例えば、閾値車速Vth以下）のときにおいて、このような状態になりやすい）、走行用駆動源５０から大きな駆動力が出力されると、揺動リンク１８が大きな駆動力で揺動しようとするにも拘らず、出力軸３が充分に回転せず、一方向クラッチ１７に大きな負荷が作用する可能性がある。
【００７８】
このとき、偏心量Ｒ１が相対的に小さいと、相対的に大きい場合に比べて、揺動リンク１８の回転速度が小さくなり、揺動リンク１８と出力軸３との間の相対的な回転速度差が低減する。これにより、一方向クラッチ１７に作用する負荷を軽減できる。
【００７９】
そこで、制御装置４０は、一方向クラッチ１７に大きな負荷が作用し過ぎる可能性があるときには、一方向クラッチ１７に作用する負荷を軽減するために、偏心量増加率R1_rateを減少させている。
【００８０】
詳細には、制御装置４０は、アクセル開度APと勾配検知部４２によって検知された勾配（すなわち、車両Ｃが走行する上り坂の勾配）とに応じて偏心量増加率R1_rateを決定している。
【００８１】
ここで、図１２は、AP1〜AP3の３つのアクセル開度APに対して、勾配（横軸）に対する偏心量増加率R1_rate（縦軸）の変化について例示した図である。
【００８２】
アクセル開度APがAP1又はAP2のときにおいては、走行用駆動源５０から出力される駆動力が小さいので、偏心量Ｒ１を増加させたとしても一方向クラッチ１７に作用する負荷が比較的小さい状態を維持できる。従って、上り坂を走行するために、大きな車両駆動力Toを速く出力できるように、勾配が大きくなるほど偏心量増加率R1_rateを増加させている。
【００８３】
なお、アクセル開度APがAP2のときの方がAP1のときに比べて走行用駆動源５０から出力される駆動力が大きいので、一方向クラッチ１７に作用する負荷が比較的小さい状態を維持するために、勾配に対する偏心量増加率R1_rateの変化量を小さく設定している。これにより、アクセル開度AP（ひいては、走行用駆動源５０から出力される駆動力）に対して偏心量Ｒ１が増加し過ぎることを防止し、車両Ｃが上り坂を走行しているときに、一方向クラッチ１７に大きな負荷が作用し過ぎることを防止できる。
【００８４】
一方、アクセル開度APがAP3のときにおいては、AP1又はAP2のときに比べて走行用駆動源５０から出力される駆動力が大きい。この場合に、偏心量Ｒ１を大きくし過ぎると、一方向クラッチ１７に大きな負荷が作用し過ぎる可能性がある。従って、制御装置４０は、アクセル開度APがAP3のときであり、上り坂の勾配が大きいときには、勾配が小さいときに比べて偏心量増加率R1_rateを減少させている。これにより、車両Ｃが上り坂を走行しているときに、一方向クラッチ１７に大きな負荷が作用し過ぎて、一方向クラッチ１７の耐久性低下を防止できる。
【００８５】
なお、図１２に示された偏心量増加率R1_rateの設定方法は、別の見方をすると、アクセル開度APがAP2とAP3との間にある所定の値を閾値に規定したとき、アクセル開度APが閾値（本発明の「所定量」に相当する）より大きく、勾配検知部４２によって検知された勾配（本発明の「所定の車両情報」に相当する）に基づき車両Ｃが上り坂を走行していると判断される場合において、上り坂の勾配が大きいほど偏心量増加率R1_rateを減少させていることでもある。このときの閾値は、一方向クラッチ１７の耐久性に基づいて設定することができる。
【００８６】
アクセル開度APが、このように設定された閾値を超えているときに、偏心量増加率R1_rateを減少させることで、車両Ｃが上り坂を走行しているときに、一方向クラッチ１７に大きな負荷が作用し過ぎることを防止できる。
【００８７】
（２−４．通常時制御）
制御装置４０は、低速時制御を実行中に、検知車速V_detが閾値車速Vth以上（この場合には、実車速V_actも閾値車速Vth以上である）となる（制御装置４０が車速Ｖが０を超えていると検知する）通常走行状態となった場合には、低速時制御を終了して、通常時制御を実行する。制御装置４０は、通常時制御を実行するときには、例えば、車速Ｖとアクセル開度APとに応じて目標車両駆動力To_cmdを決定する。そして、制御装置４０は、出力軸３から出力される駆動力が該決定した目標車両駆動力To_cmdとなるように、偏心量Ｒ１及びエンジン回転速度Ｎｅの少なくともいずれかを制御する。
【００８８】
（３．動力伝達装置の制御の詳細）
図１３を参照して、制御装置４０が実行する制御処理の詳細について説明する。図１３は、制御装置４０が実行する制御処理を示すフローチャートである。制御装置４０は、図１３に示されるフローチャートを所定周期毎に実行する。
【００８９】
制御装置４０は、まずステップＳＴ１で、検知車速V_detが０か否かを判定する。
【００９０】
制御装置４０は、ステップＳＴ１で検知車速V_detが０ではないと判定した場合（ＮＯの場合）には、実車速V_actが閾値車速Vth以上であり、車速Ｖを充分に検知できている状態であるので、ステップＳＴ２に進む。制御装置４０は、ステップＳＴ２で、上述した通常時制御を実行し、本フローチャートの処理を終了する。
【００９１】
制御装置４０は、ステップＳＴ１で検知車速V_detが０であると判定した場合（ＹＥＳの場合）には、ステップＳＴ３に進み、制動装置６１がオフ（すなわち、作動していない状態（制動装置６１を作動させる所謂ブレーキペダルが踏まれていない状態））か否かを判定する。
【００９２】
制御装置４０は、ステップＳＴ３で制動装置６１が作動していると判定した場合（ＮＯの場合）には、ステップＳＴ４に進み、停車時制御を実行する。ここで、停車時制御とは、例えば、偏心量Ｒ１を０（ギヤニュートラル）に維持する制御である。制御装置４０は、ステップＳＴ４の処理が終了すると、本フローチャートの処理を終了する。
【００９３】
制御装置４０は、ステップＳＴ３で、制動装置６１がオフであると判定した場合（ＹＥＳの場合）には、ステップＳＴ５に進み、アクセル開度APが０よりも大きいか否かを判定する。制御装置４０は、ステップＳＴ５で、アクセル開度APが０よりも大きくないと判定した場合（ＮＯの場合）には、上記ステップＳＴ４に進む。
【００９４】
制御装置４０は、ステップＳＴ５で、アクセル開度APが０よりも大きいと判定した場合（ＹＥＳの場合）には、低速時制御を実行する（ステップＳＴ６〜ＳＴ９）。制御装置４０は、上述したように、アクセル開度APに応じて目標車両駆動力To_cmdを決定し（ステップＳＴ６）、アクセル開度APに応じて初期目標偏心量R1_0_cmdを決定し（ステップＳＴ７）、アクセル開度AP及び勾配に応じて偏心量増加率R1_rateを決定する（ステップＳＴ８）。そして、制御装置４０は、ステップＳＴ６〜ＳＴ８で決定された各パラメータに応じて偏心量Ｒ１を制御する（ステップＳＴ９）。
【００９５】
このように、低速時制御を実行することで、車速Ｖが低く車速Ｖを適切に検知できないときであっても、車両Ｃの駆動力を適切に制御できる。また、アクセル開度APに応じた車両駆動力Toを無段変速機１から出力するために、正確な車速Ｖを検出できない低速走行状態の場合であっても、運転者に与える違和感を低減させることができる。更に、車両Ｃが上り坂を走行する場合において、一方向クラッチ１７に作用する負荷を軽減できる。
【００９６】
制御装置４０は、ステップＳＴ９の処理が終了すると本フローチャートの処理を終了する。
【００９７】
ここで、制御装置４０は、上記のようにステップＳＴ３及びＳＴ５の判定を行うことで、所定の車両情報を用いて、車両Ｃが走行しているか否かを適切に判定することができる。
【００９８】
次に、図１４を参照して、以上のような制御装置４０が図１３に示された制御処理を実行することによる、各車両情報の時間変化について説明する。
【００９９】
時点t1で制動装置６１が作動している状態（オン）から作動していない状態（オフ）に変化した後、時点t2でアクセル開度APが０（オフ）から０ではない状態（オン）に変化している。なお、図１４では、便宜上アクセル開度APを「０（オフ）」か「０よりも大きい（オン）」かの２値で表している。
【０１００】
ここで、時点t2からは、制動装置６１がオフでアクセル開度APが０ではなく、且つ車速信号に含まれたパルスが所定時間Δt内に所定数未満の低速走行状態である。また、時点t2よりも前においては、停車時制御が実行される停車状態である。
【０１０１】
時点t2でアクセル開度APがオンになったことにより、制御装置４０は、該アクセル開度APに応じてエンジン回転速度Ｎｅを低速時回転速度Ne0に固定すると共に、偏心量Ｒ１をアクセル開度APに応じて決定された初期目標偏心量R1_0_cmdまで増加させる。これにより、車両駆動力Toが目標車両駆動力To_cmdになるように増加する。
【０１０２】
車両駆動力Toが増加することで、時点t2より後の時点t3において車両Ｃの実車速V_actが増加する。しかしながら、時点t3〜時点t4までの期間は、実車速V_actは非常に低速であり、車速信号に含まれるパルスの所定時間ΔTにおける個数が所定値よりも少なく、検
知車速V_detは０のままである。
【０１０３】
時点t3以降、車両Ｃが加速することで時点t4になると、車速信号に含まれるパルスの所定時間ΔTにおける個数が所定値以上となり、検知車速V_detは０ではなくなる。なお、図１４の図示例では、個数の所定値を「４」として例示しているが、この値は、これに限らず、適宜設定される。
【０１０４】
このため、制御装置４０は、時点t4において、低速時制御を停止して通常時制御の実行を開始する。
【０１０５】
（４．変形例）
本実施形態では、車速Ｖが０であるか否かの判断を、制御装置４０が、車速信号に所定時間ΔT内に含まれるパルスの個数を用いて判断しているが、これに限らず、他の車速を表す信号に基づいて、該信号に応じて適宜判断すればよい。
【０１０６】
また、本実施形態では、所定の車両情報として、制動装置６１の作動情報及びアクセル開度APの情報を用いている。しかしながら、所定の車両情報としては、これに限らず、車速情報から判断すると車速Ｖが０であると判断されるが、車両Ｃが走行していると判断することが可能な情報であれば、他の情報を用いてもよい。
【０１０７】
また、本実施形態では、偏心量増加率R1_rateを、アクセル開度APと勾配とに応じて決定しているが、これに限らず、例えば、勾配に拘らずにアクセル開度APに応じて偏心量増加率R1_rateを決定してもよい。
【０１０８】
また、本実施形態においては、一方向回転阻止機構として、一方向クラッチ１７を用いているが、本発明の一方向回転阻止機構は、これに限らず、揺動リンク１８から出力軸３にトルクを伝達可能な揺動リンク１８の出力軸３に対する回転方向を切換自在に構成される二方向クラッチ（ツーウェイクラッチ）で構成してもよい。
【０１０９】
また、本実施形態においては、回転半径調節機構４として、入力軸２と一体に回転するカムディスク５と、回転ディスク６とを備えるものを説明したが、本発明の回転半径調節機構４は、これに限らない。例えば、回転半径調節機構を、中心から偏心して穿設された貫通孔を有する円盤状の回転ディスクと、貫通孔の内周面に設けられたリングギアと、入力軸に固定されリングギアに噛合する第１ピニオンと、調節用駆動源からの駆動力が伝達されるキャリアと、キャリアで自転及び公転自在に夫々軸支されると共にリングギアに夫々噛合する２つの第２ピニオンとで構成してもよい。
【符号の説明】
【０１１０】
１Ａ…動力伝達装置、Ｃ…車両、２…入力軸（入力部）、３…出力軸、４…回転半径調節機構、１４…調節用駆動源、１５…コネクティングロッド、１７…一方向クラッチ（一方向回転阻止機構）、１８…揺動リンク、２０…てこクランク機構、４０…制御装置（制御部）、５０…走行用駆動源、６１…制動装置、６２…アクセルペダル、ｉ…変速比、Ｎｅ…エンジン回転速度（走行用駆動源の出力回転速度）、Ｖ…車速（車両の走行速度）、
AP…アクセル開度（アクセルペダルの操作量）、To_cmd…目標車両駆動力（目標駆動力）、R1_0_cmd…初期目標偏心量（初期目標回転半径）、R1_rate…偏心量増加率（回転半径
増加率）、ΔT…所定時間。
【図１】
2015098316.tif 000003
【図２】
2015098316.tif 000004
【図３】
2015098316.tif 000005
【図４】
2015098316.tif 000006
【図５】
2015098316.tif 000007
【図６】
2015098316.tif 000008
【図７】
2015098316.tif 000009
【図８】
2015098316.tif 000010
【図９】
2015098316.tif 000011
【図１０】
2015098316.tif 000012
【図１１】
2015098316.tif 000013
【図１２】
2015098316.tif 000014
【図１３】
2015098316.tif 000015
【図１４】
2015098316.tif 000016
【国際調査報告】
2015098316.tif 000017
2015098316.tif 000018
2015098316.tif 000019